(57)【要約】【課題】利用者を簡単かつ確実に識別・特定できる忘れ物防止装置を提供する。【解決手段】ＩＤタグ読み取り手段２は、利用者が携帯する利用者ＩＤタグと前記利用者が携帯する物品に取付けられた物品ＩＤタグから識別情報を読み取り、識別情報登録手段３は、利用者を識別する利用者識別情報と、当該利用者が携帯する物品を識別する物品識別情報が登録されて、照合手段４は、ＩＤタグ読み取り手段２が利用者ＩＤタグから読み出した識別情報を識別情報登録手段３に登録された利用者識別情報と照合して、両者が一致する場合に、ＩＤタグ読み取り手段２が物品ＩＤタグから読み出した識別情報を、識別情報登録手段３に当該利用者識別情報に対応して登録された物品識別情報と照合する。【選択図】図１
2011197836.tif 000002
【特許請求の範囲】
【請求項１】
ＩＤタグから識別情報を読み取るＩＤタグ読み取り手段と、
識別情報を登録する識別情報登録手段と、
前記ＩＤタグ読み取り手段が読み出した識別情報を前記識別情報登録手段に登録された識別情報と照合する照合手段と、
前記識別情報登録手段に登録された識別情報が、前記ＩＤタグ読み取り手段が読み出した識別情報と一致しない場合に、その旨を前記利用者に報知する報知手段と、
を備える忘れ物防止装置において、
前記ＩＤタグ読み取り手段は、前記忘れ物防止装置の利用者が携帯する利用者ＩＤタグと前記利用者が携帯する物品に取付けられた物品ＩＤタグから識別情報を読み取り、
前記識別情報登録手段に登録される前記識別情報は、前記利用者を識別する利用者識別情報と、当該利用者が携帯する物品を識別する物品識別情報であり、
前記照合手段は、前記ＩＤタグ読み取り手段が前記利用者ＩＤタグから読み出した識別情報を前記識別情報登録手段に登録された利用者識別情報と照合して、両者が一致する場合に、前記ＩＤタグ読み取り手段が前記物品ＩＤタグから読み出した識別情報を、前記識別情報登録手段に当該利用者識別情報に対応して登録された物品識別情報と照合して、
前記報知手段は、前記識別情報登録手段に当該利用者識別情報に対応して登録された物品識別情報が前記ＩＤタグ読み取り手段が前記物品ＩＤタグから読み出した識別情報と一致しない場合に、その旨を前記利用者に報知する
ことを特徴とする忘れ物防止装置。
【請求項２】
前記識別情報登録手段には、１の利用者識別情報に対応する複数の物品識別情報が登録されて、
前記照合報知手段は、前記複数の物品識別情報にそれぞれ対応する複数の表示装置を有し、前記物品識別情報が前記ＩＤタグ読み取り手段が前記物品ＩＤタグから読み出した識別情報と一致した場合に、当該物品識別情報に対応する前記表示装置の表示態様を切り替える
ことを特徴とする請求項１に記載の忘れ物防止装置。
【請求項３】
前記表示装置は表示灯であって、
前記表示態様の切り替えは、前記表示灯の発光色の切り替えである
ことを特徴とする請求項２に記載の忘れ物防止装置。
【請求項４】
前記利用者が前記ＩＤタグ読み取り手段の検出範囲にある場合に、当該利用者の存在を検出する利用者検出手段と、
前記利用者検出手段が前記利用者の存在を検出すると前記ＩＤタグ読み取り手段を起動するとともに、前記利用者検出手段が前記利用者の存在を検出しなくなると前記ＩＤタグ読み取り手段を停止する節電手段を備える
ことを特徴とする請求項１に記載の忘れ物防止装置。
【請求項５】
ＩＤタグから識別情報を読み取るＩＤタグ読み取り手段と、
報知手段に接続されたコンピュータにインストールされて、
当該コンピュータを、
識別情報を登録する識別情報登録手段と、
前記ＩＤタグ読み取り手段が読み出した識別情報を前記識別情報登録手段に登録された識別情報と照合する照合手段として機能させるとともに、
前記識別情報登録手段に登録された識別情報が、前記ＩＤタグ読み取り手段が読み出した識別情報と一致しない場合に、当該コンピュータが前記報知手段を起動して、その旨を前記利用者に報知するように機能させるプログラムにおいて、
前記ＩＤタグ読み取り手段は、前記忘れ物防止装置の利用者が携帯する利用者ＩＤタグと前記利用者が携帯する物品に取付けられた物品ＩＤタグから識別情報を読み取り、
前記識別情報登録手段に登録される前記識別情報は、前記利用者を識別する利用者識別情報と、当該利用者が携帯する物品を識別する物品識別情報であり、
前記照合手段は、前記ＩＤタグ読み取り手段が前記利用者ＩＤタグから読み出した識別情報を前記識別情報登録手段に登録された利用者識別情報と照合して、両者が一致する場合に、前記ＩＤタグ読み取り手段が前記物品ＩＤタグから読み出した識別情報を、前記識別情報登録手段に当該利用者識別情報に対応して登録された物品識別情報と照合して、
前記報知手段は、前記識別情報登録手段に当該利用者識別情報に対応して登録された物品識別情報が前記ＩＤタグ読み取り手段が前記物品ＩＤタグから読み出した識別情報と一致しない場合に、その旨を前記利用者に報知する
ことを特徴とするプログラム。
【発明の詳細な説明】
【技術分野】
【０００１】
本発明は、住宅や事業所の出入口に設置されて、該出入口を通る利用者が携帯する物品に取り付けられたＩＤタグから識別情報を読み出して、事前に登録された識別情報と照合し、両者が一致しなかった場合に、その旨を利用者に報知して、忘れ物の防止を図る忘れ物防止装置に関する。また、コンピュータにインストールされて当該コンピュータを上述したような忘れ物防止装置として機能させるプログラムに関する。
【背景技術】
【０００２】
ＩＤタグあるいは、ＩＣタグ、ＲＦＩＤ、電子荷札と呼ばれるＩＣチップが知られている（例えば、特許文献１，特許文献２）。ＩＤタグは、識別情報を記録するともに、親機から送信される電波を変換して得られた電力を使って該識別情報を親機に無線送信することができる。つまり、非接触でデータの読み取りができる。
【０００３】
また、特許文献３には、住宅や事業所の出入口に設置されて、該出入口を通る利用者が携帯する物品に取り付けられたＩＤタグから識別情報を読み出して、事前に登録された識別情報が読み出されなかった場合に、その旨を利用者に音声と文字表示で報知する忘れ物検出装置が開示されている。
【０００４】
忘れ物検出装置の利用者が複数登録されている場合、現に忘れ物検出装置の前にいる者を識別・特定する必要があるが、特許文献３の忘れ物検出装置では、持ち主が異なる複数のＩＤタグが検出された場合に、最も多くのＩＤタグが検出された持ち主が、現に忘れ物検出装置を利用している者であると推定している。言うならば、特許文献３の忘れ物検出装置は「多数決」で利用者を識別・特定している。
【先行技術文献】
【特許文献】
【０００５】
【特許文献１】特開２００８−２０５７１１号公報
【特許文献２】特開２００６−３１９４９６号公報
【特許文献３】特開２００６−１１５０１号公報
【発明の概要】
【発明が解決しようとする課題】
【０００６】
しかしながら、「多数決」は正しくない場合がある。例えば、他人の持ち物を間違って携帯して、自己の持ち物より当該他人の持ち物を数多く携帯してしまった場合、当該他人と見なされてしまうからである。
【０００７】
また、「多数決」は物品とその持ち主が１対１で対応していることを前提にしているが、物品とその持ち主を１対１で対応させることができない場合がある。例えば、事業所等で、装置や用具が複数台あって、それらを複数の担当者が共用する場合に、特定の人物をある装置や用具の持ち主とすることはできない。
【０００８】
このように、「多数決」による利用者の識別・特定は、確実性に欠けるという問題がある。また、「多数決」を適用できない場合もある。
【０００９】
本発明は、上記の課題に鑑みてなされたものであり、利用者が携帯する物品に取り付けられたＩＤタグを検出して、事前に登録されたＩＤタグが検出されなかった場合に、その旨を利用者に報知して注意を喚起する忘れ物防止装置において、利用者を簡単かつ確実に識別・特定できる忘れ物防止装置を提供することを目的とする。
【課題を解決するための手段】
【００１０】
上記課題を解決するため、本発明の忘れ物防止装置は、ＩＤタグから識別情報を読み取るＩＤタグ読み取り手段と、識別情報を登録する識別情報登録手段と、前記ＩＤタグ読み取り手段が読み出した識別情報を前記識別情報登録手段に登録された識別情報と照合する照合手段と、前記識別情報登録手段に登録された識別情報が、前記ＩＤタグ読み取り手段が読み出した識別情報と一致しない場合に、その旨を前記利用者に報知する報知手段と、を備える忘れ物防止装置において、前記ＩＤタグ読み取り手段は、前記忘れ物防止装置の利用者が携帯する利用者ＩＤタグと前記利用者が携帯する物品に取付けられた物品ＩＤタグから識別情報を読み取り、前記識別情報登録手段に登録される前記識別情報は、前記利用者を識別する利用者識別情報と、当該利用者が携帯する物品を識別する物品識別情報であり、前記照合手段は、前記ＩＤタグ読み取り手段が前記利用者ＩＤタグから読み出した識別情報を前記識別情報登録手段に登録された利用者識別情報と照合して、両者が一致する場合に、前記ＩＤタグ読み取り手段が前記物品ＩＤタグから読み出した識別情報を、前記識別情報登録手段に当該利用者識別情報に対応して登録された物品識別情報と照合して、前記報知手段は、前記識別情報登録手段に当該利用者識別情報に対応して登録された物品識別情報が前記ＩＤタグ読み取り手段が前記物品ＩＤタグから読み出した識別情報と一致しない場合に、その旨を前記利用者に報知することを特徴とする。
【００１１】
前記識別情報登録手段には、１の利用者識別情報に対応する複数の物品識別情報が登録されて、前記照合報知手段は、前記複数の物品識別情報にそれぞれ対応する複数の表示装置を有し、前記物品識別情報が前記ＩＤタグ読み取り手段が前記物品ＩＤタグから読み出した識別情報と一致した場合に、当該物品識別情報に対応する前記表示装置の表示態様を切り替えてもよい。
【００１２】
前記表示装置は表示灯であって、前記表示態様の切り替えは、前記表示灯の発光色の切り替えであってもよい。
【００１３】
また、前記利用者が前記ＩＤタグ読み取り手段の検出範囲にある場合に、当該利用者の存在を検出する利用者検出手段と、前記利用者検出手段が前記利用者の存在を検出すると前記ＩＤタグ読み取り手段を起動するとともに、前記利用者検出手段が前記利用者の存在を検出しなくなると前記ＩＤタグ読み取り手段を停止する節電手段を備えてもよい。
【００１４】
また、本発明のプログラムは、ＩＤタグから識別情報を読み取るＩＤタグ読み取り手段と、報知手段に接続されたコンピュータにインストールされて、当該コンピュータを、識別情報を登録する識別情報登録手段と、前記ＩＤタグ読み取り手段が読み出した識別情報を前記識別情報登録手段に登録された識別情報と照合する照合手段として機能させるとともに、前記識別情報登録手段に登録された識別情報が、前記ＩＤタグ読み取り手段が読み出した識別情報と一致しない場合に、当該コンピュータが前記報知手段を起動して、その旨を前記利用者に報知するように機能させるプログラムにおいて、前記ＩＤタグ読み取り手段は、前記忘れ物防止装置の利用者が携帯する利用者ＩＤタグと前記利用者が携帯する物品に取付けられた物品ＩＤタグから識別情報を読み取り、前記識別情報登録手段に登録される前記識別情報は、前記利用者を識別する利用者識別情報と、当該利用者が携帯する物品を識別する物品識別情報であり、前記照合手段は、前記ＩＤタグ読み取り手段が前記利用者ＩＤタグから読み出した識別情報を前記識別情報登録手段に登録された利用者識別情報と照合して、両者が一致する場合に、前記ＩＤタグ読み取り手段が前記物品ＩＤタグから読み出した識別情報を、前記識別情報登録手段に当該利用者識別情報に対応して登録された物品識別情報と照合して、前記報知手段は、前記識別情報登録手段に当該利用者識別情報に対応して登録された物品識別情報が前記ＩＤタグ読み取り手段が前記物品ＩＤタグから読み出した識別情報と一致しない場合に、その旨を前記利用者に報知することを特徴とする。
【発明の効果】
【００１５】
本発明によれば、利用者が携帯する利用者ＩＤタグに記録された識別情報を識別情報登録手段に登録された利用者識別情報と照合するので、識別・特定を簡単かつ確実に行える。
【００１６】
また、複数の物品識別情報にそれぞれ対応する表示装置を備えて、その表示態様の変化で、検出の有無（つまり、忘れ物の有無）を利用者に報知するようにしたので、忘れ物の把握が容易で、利用者に対する訴求力が大きい。
【００１７】
また、利用者検出手段と節電手段を備えて、ＩＤタグ読み取り手段の検出範囲に利用者がいない場合に、ＩＤタグ読み取り手段を停止するようにしたので、ＩＤタグ読み取り手段の電力消費を削減することができる。
【図面の簡単な説明】
【００１８】
【図１】忘れ物防止装置の機能的な構成を示す概念図である。
【図２】忘れ物防止装置のハードウェア構成を示す概念図である。
【図３】外部記憶装置の記憶領域の構成を示す概念図である。
【図４】忘れ物防止装置の操作パネルの構成を示す外形図である。
【図５】検出プログラムによる処理の概略を示すフローチャートである。
【図６】登録／消去プログラムによる処理の概略を示すフローチャートである。
【発明を実施するための形態】
【００１９】
以下、本発明の実施形態を、適宜、図面を参照しながら説明する。
【００２０】
［機能的構成］
図１は本発明の実施形態の１例を示す忘れ物防止装置１の機能的な構成を示している。すなわち、忘れ物防止装置１は、ＩＤタグ読み取り手段２、識別情報登録手段３、照合手段４、報知手段５、利用者検知手段６及び節電手段７を備えている。
【００２１】
ＩＤタグ読み取り手段２は、忘れ物防止装置１の利用者が携帯するＩＤタグ（以下、「利用者ＩＤタグ」という）、及び忘れ物防止装置１の検出対象の物品であって、前記利用者が携帯する物品に取り付けられたＩＤタグ（以下、「物品ＩＤタグ」という）に記録された識別情報を読み出す、一種の無線通信手段である。なお、利用者ＩＤタグには、当該利用者を特定する識別情報（以下、「利用者識別情報」という）が記録され、物品ＩＤタグには、当該物品を特定する識別情報（以下、「物品識別情報」という）が記録されている。
【００２２】
識別情報登録手段３は、忘れ物防止装置１の利用者の利用者識別情報と当該利用者が携帯する物品の物品識別情報を対応付けて登録する手段である。なお、本明細書では、「登録」を、「入力および記憶」の意味で使用する。つまり、「識別情報を登録手段に登録する」とは「識別情報を登録手段に入力して、登録手段がその識別情報を記憶する」ことを意味する。
【００２３】
照合手段４は、ＩＤタグ読み取り手段２が利用者ＩＤタグ及び物品ＩＤタグから読み出した利用者識別情報及び物品識別情報を、識別情報登録手段３に登録された利用者識別情報及び物品識別情報と照合する手段である。
【００２４】
報知手段５は、ＩＤタグ読み取り手段２が物品ＩＤタグから読み出した物品識別情報が、識別情報登録手段３に登録された物品識別情報と一致しない場合に、その旨を前記利用者に報知して、前記利用者の注意を喚起する手段である。
【００２５】
利用者検出手段６は、識別情報登録手段３の検出範囲内に利用者が立った場合にこれを検出する手段である。
【００２６】
節電手段７は、利用者検出手段６が利用者を検出している場合にＩＤタグ読み取り手段２に電源を投入し、利用者検出手段６が利用者を検出しない場合にＩＤタグ読み取り手段２の電源を遮断する手段である。
【００２７】
［ハードウェア構成］
上記の機能的構成は、図２に示すようなハードウェアと後述するソフトウェアによって実現される。すなわち、忘れ物防止装置１はハードウェア構成において、ＲＦＩＤタグリーダ８、外部記憶装置９、コンピュータ１０、表示灯１１、赤外線センサ１２及び操作入力スイッチ１３を備える。
【００２８】
ＲＦＩＤタグリーダ８は、ＲＦＩＤタグ（利用者ＩＤタグ、物品ＩＤタグ）に対して、コマンド信号を送信するとともに、該コマンド信号を受信したＲＦＩＤタグが送信する応答信号を受信する公知の無線通信装置である。また、ＲＦＩＤタグの応答信号にはＲＦＩＤタグの識別情報が含まれる。
【００２９】
なお、ＲＦＩＤタグリーダ８はコンピュータ１０の命令に従って起動・停止する。また、ＲＦＩＤタグリーダ８がＲＦＩＤタグから読み出した識別情報はコンピュータ１０に入力される。なお、ＲＦＩＤタグはＲＦＩＤタグリーダ８から送信されるコマンド信号の電波を電力に変換して動力を得るので、電池等の電源を必要としない。
【００３０】
なお、ＲＦＩＤタグリーダ８は、ＩＤタグ読み取り手段２として機能するハードウェアであることは言うまでもないが、後述するように、識別情報登録手段３の入力装置としても機能する。
【００３１】
外部記憶装置９は、例えばハードディスクドライブのような、コンピュータ１０の補助記憶装置であり、識別情報登録手段３の記憶装置として機能する。
【００３２】
なお、外部記憶装置９には、図３に示すように、４件の利用者識別情報を記憶する記憶領域（利用者識別情報（１）〜（４））と、各利用者識別情報に対応する、それぞれ８件の物品識別情報を記憶する記憶領域（物品識別情報（Ａ）〜（Ｈ））を備える。言い替えれば、外部記憶装置９は、４人の利用者を特定する利用者識別情報と、該４人の利用者のそれぞれが携帯する物品を特定する物品識別情報を最大８件、記憶することができる。
【００３３】
再び、図２に戻って、忘れ物防止装置１のハードウェアの説明を続ける。コンピュータ１０は、ＲＦＩＤタグリーダ８、外部記憶装置９、表示灯１１及び赤外線センサ１２を支配するコンピュータである。また、識別情報登録手段３、照合手段４、報知手段５及び節電手段７は、コンピュータ１０にインストールされたプログラムをコンピュータ１０が実行することによって機能する。また、該プログラムによる具体的な処理については後述する。
【００３４】
表示灯１１は、コンピュータ１０の命令に従って、点灯、消灯し、あるいは発光色を変える複数のランプであり、前述の報知手段５の表示装置として機能する。表示灯１１の具体的な構成及び作用は後述する。
【００３５】
赤外線センサ１２は、利用者がＲＦＩＤタグリーダ８の検出範囲にある時に、当該利用者の身体から輻射される赤外線を検出するセンサであり、前述の利用者検出手段６として機能する。なお、このようなセンサは既に周知であり、市場で容易に入手できるので、具体的な構成や検出原理の説明は省略する。
【００３６】
操作入力スイッチ１３は、コンピュータ１０を操作するスイッチである。操作入力スイッチ１３の具体的な構成や作用は後述する。
【００３７】
さて、図４は忘れ物防止装置１の操作パネルの外形図である。
【００３８】
図４に示すように、忘れ物防止装置１の操作パネルには、状態表示灯１４、利用者表示灯１５，携帯品表示灯１６を備える。これらはいずれも前述の表示灯１１の具体例である。また、登録／消去ボタン１７と前述の赤外線センサ１２を備える。なお、登録／消去ボタン１７は、前述の操作入力スイッチ１３の具体例であり、その機能については後述する。
【００３９】
状態表示灯１４は、赤外線センサ１２による利用者の検出の有無、及び、ＲＦＩＤタグリーダ８による利用者ＩＤタグの検出（識別情報の読み取り）の有無を表示する表示灯１１であり、コンピュータ１０の指令に従って、発光色を赤色又は緑色に変える。
【００４０】
利用者表示灯１５は４個あって、それぞれが外部記憶装置９に記憶された４件の利用者識別情報の記憶領域（利用者識別情報（１）〜（４））（図３参照）に対応する。例えば、ＲＦＩＤタグリーダ８が利用者ＩＤタグから読み出した識別情報が外部記憶装置９の４つの記憶領域（利用者識別情報（１）〜（４））のいずれかに記憶された利用者識別情報と一致した場合に、該当する記憶領域に対応する利用者表示灯１５が点灯する。また、外部記憶装置９に利用者識別情報を登録する場合、あるいは、外部記憶装置９内の利用者識別情報を消去する場合に、登録または消去を行う記憶領域に対応する利用者表示灯１５が点灯する。また、利用者表示灯１５は、コンピュータ１０の指令に従って、発光色を緑色又は青色に変える。
【００４１】
携帯品表示灯１６は、３２個あって、４列８行（ここでは、横方向の並びを「行」と呼び、縦方向の並びを「列」と呼ぶ。以下、同じ。）に配置され、それぞれが外部記憶装置９に記憶された３２件の物品識別情報の記憶領域（図３参照）に対応する。つまり、ある利用者表示灯１５の下に１列に並ぶ８個の携帯品表示灯１６は、その利用者表示灯１５に対応する利用者識別情報の記憶領域に対応する物品識別情報の記憶領域（物品識別情報（Ａ）〜（Ｈ））に対応する。また、携帯品表示灯１６は、コンピュータ１０の指令に従って、発光色を赤色又は青色に変える。
【００４２】
また、忘れ物防止装置１の操作パネルの利用者表示灯１５と携帯品表示灯１６の横には、メモ記入欄１８が配置される。メモ記入欄１８はそれぞれが直近の利用者表示灯１５あるいは携帯品表示灯１５に対応する。メモ記入欄１８には、対応する利用者表示灯１５あるいは携帯品表示灯１５に割り付けられた利用者名あるいは物品の名称（例えば、「青木」「井上」「財布」「眼鏡」など）が記入される。
【００４３】
［プログラム］
コンピュータ１０には検出プログラムと登録／消去プログラムがインストールされて、コンピュータ１０が実行することによって、識別情報登録手段３、照合手段４、報知手段５及び節電手段７が機能する。以下、これらのプログラムによる処理の概要を説明する。
【００４４】
［検出プログラム］
図５は、検出プログラムによる処理の概要を示すフローチャートである。本実施形態では忘れ物防止装置１を起動（主電源を投入）すると、自動的に検出プログラムが起動するようにプログラムされる。また、登録／消去プログラムが起動されている間は、検出プログラムは停止され、登録／消去プログラムが終了すると再起動されるようにプログラムされる。また、検出プログラムは、忘れ物防止装置１の主電源が遮断されるか、あるいは登録／消去プログラムが起動された時に終了するようにプログラムされる。
【００４５】
検出プログラムが起動すると、コンピュータ１０は、赤外線センサ１２の電源を投入して起動（ステップＳ０１）させて、待機する（ステップＳ０２）。なお、検出プログラムは、忘れ物防止装置１の主電源の遮断あるいは登録／消去プログラムの起動を終了処理の条件としていて、待機中に終了処理の条件が発生すると（ステップＳ０３；ＹＥＳ）、赤外線センサ１２を停止（ステップＳ０４）させて、検出プログラムは終了する。
【００４６】
終了処理の条件が発生しなければ（ステップＳ０３；ＮＯ）、ステップＳ０５に進む。そして、赤外線センサ１２が利用者を検出したら（ステップＳ０５；ＹＥＳ）、コンピュータ１０は、状態表示灯１４を点灯、赤色発光させ（ステップＳ０６）、ＲＦＩＤタグリーダ８を起動する（ステップＳ０７）。そして、ＲＦＩＤタグリーダ８は、利用者が携帯する利用者ＩＤタグから識別情報を読み出す（ステップＳ０８）。利用者ＩＤタグから識別情報が読み出されたら、状態表示灯１４の発光色を緑色に変える（ステップＳ０９）。
【００４７】
次に、コンピュータ１０は、ＲＦＩＤタグリーダ８が利用者ＩＤタグから読み出した識別情報を、外部記憶装置９に記憶された利用者識別情報（登録情報）と照合し、一致しない場合（ステップＳ１０；ＮＯ）は、ステップＳ０２に戻る。
【００４８】
ＲＦＩＤタグリーダ８が利用者ＩＤタグから読み出した識別情報が登録情報と一致していれば、言い替えれば、ＲＦＩＤタグリーダ８が検出した利用者識別情報が忘れ物防止装置１に記憶されていれば（ステップＳ１０；ＹＥＳ）、コンピュータ１０は当該利用者識別情報に対応する利用者表示灯１５を緑色に発光点灯させる（ステップＳ１１）。そして、コンピュータ１０は、当該利用者識別情報に係る外部記憶装置９に記憶された物品識別情報（例えば、当該利用者識別情報が利用者識別情報（１）であれば、図３において利用者識別情報（１）の下方に１列に並ぶ物品識別情報（Ａ）〜（Ｈ）に対応する携帯品表示灯１６を赤色に発光点灯させる（ステップＳ１２）。
【００４９】
次に、ＲＦＩＤタグリーダ８は利用者が携帯する物品に付された物品ＩＤタグから識別情報を読み出す（ステップＳ１３）。そして、コンピュータ１０は、物品ＩＤタグから読み出された識別情報を、外部記憶装置９に記憶された物品識別情報（登録情報）と照合して（ステップＳ１４）、両者が一致すれば、その物品識別情報に対応する携帯品表示灯１６の発光色を青色に変更する（ステップＳ１５）。なお、一致しない場合は携帯品表示灯１６の発光色は赤色のままである。
【００５０】
また、当該利用者識別情報に係る登録情報の全てが、物品ＩＤタグから読み出された識別情報と一致したら、言い替えれば、当該利用者識別情報に係る全ての携帯品表示灯１６の発光色が赤色から緑色に変わったら（ステップＳ１６；ＹＥＳ）、当該利用者識別情報に対応する利用者表示灯１５の発光色を緑色から青色に変更する（ステップＳ１７）。登録情報の一部が、物品ＩＤタグから読み出された識別情報と一致しなければ（ステップＳ１６；ＮＯ）、ステップＳ１７をスキップする。
【００５１】
この処理によって、利用者は、携帯品表示灯１６の発光色で忘れ物の有無を確認できる。携帯品表示灯１６を発光が赤色のままであれば、利用者はその携帯品表示灯１６に対応する物品を携帯していない、つまり忘れ物をしたことが解る。また、メモ記入欄１８（図４参照）に携帯品表示灯１６に対応する物品の名称を記入しておけば、更に解りやすい。
【００５２】
さて、その後、赤外線センサ１２が利用者を検出しなくなったら、つまり、利用者がＲＦＩＤタグリーダ８の検出範囲から離れたら（ステップＳ１８；ＮＯ）、コンピュータ１０は、ＲＦＩＤタグリーダ８の電源を遮断して、停止状態に戻し（ステップＳ１９）、全ての表示灯（状態表示灯１４、利用者表示灯１５及び携帯品表示灯１６）を消灯する（ステップＳ２０）。そして、ステップＳ０２に戻る。また、赤外線センサ１２が利用者を検出していれば、つまり、利用者がＲＦＩＤタグリーダ８の検出範囲に留まっていれば（ステップＳ１８；ＹＥＳ）、ステップＳ１５に戻り、状態表示灯１４、利用者表示灯１５及び携帯品表示灯１６の点灯状態を維持する。
【００５３】
［登録／消去プログラム］
外部記憶装置９への識別情報の登録及び消去は、図６に示した登録／消去プログラムに記述された手順に従って実行される。
【００５４】
登録／消去プログラムは、登録／消去ボタン１７を押すと、起動される。なお、識別情報の登録を行う場合は、登録対象の利用者ＩＤタグを事前にＲＦＩＤタグリーダ８の検出範囲に置いて、その後に登録／消去ボタン１７を押す。識別情報の消去を行う場合は、ＲＦＩＤタグリーダ８の検出範囲に何も置かないで、登録／消去ボタン１７を押す。
【００５５】
登録／消去プログラムの初期（起動直後）状態では、登録／消去対象の記憶領域として利用者識別情報（１）（図３参照）が選択されていて、利用者識別情報（１）に対応する利用者表示灯１５（図４において左端）が緑色発光点滅する。
【００５６】
この状態で、登録／消去ボタン１７を押したままで所定時間が経過すれば、つまり登録／消去ボタン１７を長押しすれば（ステップＳ２１；ＹＥＳ）、記憶領域の選択が確定して、ステップＳ２４に進む。
【００５７】
所定時間内に登録／消去ボタン１７から指を離せば（長押ししなければ）（ステップＳ２１；ＮＯ）、登録／消去対象の記憶領域が変更されて（ステップ２２）、つまり、この場合は、利用者識別情報（２）（図３参照）が選択されて、利用者識別情報（２）に対応する利用者表示灯１５（図４において、左端から２番目）が緑色発光点滅して、ステップ２１に戻る。なお、利用者識別情報（１）に対応する利用者表示灯１５は消灯する。この後、登録／消去ボタン１７を長押しすれば（ステップＳ２１；ＹＥＳ）、利用者識別情報（２）の選択が確定して、ステップＳ２４に進む。所定時間内に登録／消去ボタン１７から指を離せば（ステップＳ２１；ＮＯ）、ステップＳ２２に進む。
【００５８】
このように、登録／消去ボタン１７を長押しすれば、選択中の記憶領域、つまり緑色発光点滅中の利用者表示灯１５に対応する記憶領域が登録／消去の対象として確定し、所定時間内に登録／消去ボタン１７から指を離せば（長押ししなければ）、登録／消去対象の記憶領域が変更される。なお、利用者識別情報（４）が選択されている時に、登録／消去対象の記憶領域を変更すれば、登録／消去対象の記憶領域は利用者識別情報（１）に戻る。
【００５９】
登録／消去対象の記憶領域が確定すれば、状態表示灯１４が赤色発光して点滅して（ステップＳ２４）、登録／消去の対象が確定したことを表示する。そして、ＲＦＩＤタグリーダ８を起動し（ステップＳ２５）、ＲＦＩＤタグリーダ８の検出範囲に置かれた利用者ＩＤタグから識別情報を読み出す（ステップＳ２６）。
【００６０】
この時、利用者ＩＤタグから識別情報が読み出されなければ（データが無ければ）（ステップＳ２７；ＮＯ）、言い替えれば、ＲＦＩＤタグリーダ８の検出範囲に利用者ＩＤタグが置いてなければ、選択中の記憶領域、つまり、緑色発光点滅中の利用者表示灯１５に対応する外部記憶装置９内の利用者識別情報の記憶領域、及び該記憶領域に対応する物品識別情報の記憶領域（物品識別情報（Ａ）〜（Ｈ））にある識別情報を全て消去する（ステップＳ２８）。その後、ＲＦＩＤタグリーダ８を停止（ステップＳ２９）、状態表示灯１４を消灯し（ステップＳ３０）、緑色発光点滅中の利用者表示灯１５を消灯し（ステップＳ３１）、登録／消去プログラムを終了する。なお、登録／消去プログラムが終了すると、検出プログラムが起動する。
【００６１】
一方、ＲＦＩＤタグリーダ８が利用者ＩＤタグから識別情報を読み出したら（ステップＳ２７；ＹＥＳ）、言い替えれば、ＲＦＩＤタグリーダ８の検出範囲に利用者ＩＤタグが置いてあれば、選択中の利用者識別情報の記憶領域、つまり、緑色発光点滅中の利用者表示灯１５に対応する外部記憶装置９内の記憶領域に、ＲＦＩＤタグリーダ８が利用者ＩＤタグから読み出した識別情報を登録する（ステップＳ３２）。そして、状態表示灯１４を緑色に点灯して（ステップＳ３３）、利用者識別情報の登録が完了したことを表示する。また、緑色発光点滅中の利用者表示灯１５の下に並ぶ８個の携帯品表示灯１６の内、最上段にある携帯品表示灯１６、言い替えれば、ステップＳ３３において利用者識別情報が登録された記憶領域と対になる物品識別情報（Ａ）（図３参照）に対応する携帯品表示灯１６を青色発光点滅させる（ステップＳ３４）。
【００６２】
その後、コンピュータ１０は待機して、ユーザによる操作を待つ（ステップＳ３５）。ユーザは物品ＩＤタグをＲＦＩＤタグリーダ８の検出範囲に置いて、登録／消去ボタン１７を押す。登録／消去ボタン１７が押下げられれば（ステップＳ３６；ＹＥＳ）、ステップＳ３７に進む。登録／消去ボタン１７が押されなければ（ステップＳ３６；ＮＯ）、ステップＳ３５に戻って、待機を続ける。
【００６３】
さて、登録／消去ボタン１７が押下げられたら、ＲＦＩＤタグリーダ８が物品ＩＤタグの識別情報を読み出す（ステップＳ３７）。この時、物品ＩＤタグから識別情報が読み出されたら（データがあれば）（ステップＳ３８；ＹＥＳ）、ステップ３９に進む。物品ＩＤタグから識別情報が読み出されなければ（データが無ければ）（ステップＳ３８；ＮＯ）、言い替えれば、ＲＦＩＤタグリーダ８の検出範囲に物品ＩＤタグが置いてなければ、ステップＳ４２に進む。
【００６４】
さて、物品ＩＤタグから識別情報が読み出されたら、読み出された識別情報を外部記憶装置９内の選択中の記憶領域、つまり、青色点滅中の携帯品表示灯１６に対応する記憶領域に登録する（ステップＳ３９）。そして全ての記憶領域（物品識別情報（Ａ）〜（Ｈ））について識別情報の登録が完了していれば（ステップＳ４０；ＹＥＳ）、ステップＳ４２に進む。
【００６５】
一方、未登録の記憶領域があれば（ステップＳ４０；ＮＯ）、物品識別情報を登録する記憶領域を変更する、例えば、物品識別情報（Ａ）から物品識別情報（Ｂ）に変更する（ステップＳ４１）。その後、ステップＳ３４に戻って、変更後の記憶領域に対応する対応する携帯品表示灯１６を青色発光点滅させ、ステップＳ３５からステップＳ４０までの処理を繰り返す。
【００６６】
そして、物品識別情報の登録処理の途中（ステップＳ３４からステップＳ４０）の間でＲＦＩＤタグリーダ８の検出範囲に物品ＩＤタグが置かれていない場合（ステップＳ３８；ＮＯ）、あるいは、全ての記憶領域（物品識別情報（Ａ）〜（Ｈ））について識別情報の登録が完了した場合（ステップＳ４０；ＹＥＳ）は、ステップＳ４２ないしステップＳ４５の処理を行って、登録／消去プログラムを終了する。
【００６７】
すなわち、ＲＦＩＤタグリーダ８を停止（ステップＳ４２）し、状態表示灯１４を消灯し（ステップＳ４３）、利用者表示灯１５を消灯し（ステップＳ４４）、携帯品表示灯１６を消灯し（ステップＳ４５）、登録／消去プログラムを終了する。なお、登録／消去プログラムが終了すると、検出プログラムが起動する。
【００６８】
以上のように構成されているので、忘れ物防止装置１は、次のような効果を奏する。
【００６９】
利用者が携帯する利用者ＩＤタグの識別情報をＲＦＩＤタグリーダ８で読み出して、これを事前に外部記憶装置９に記憶された識別情報と照合して、利用者の識別及び特定を行うので、従来の「多数決」に比べて、識別・特定の信頼性が向上する。
【００７０】
ＲＦＩＤタグリーダ８の検出範囲にある利用者を検出する赤外線センサ１２を備えて、赤外線センサ１２が利用者を検出した時に、ＲＦＩＤタグリーダ８を起動し、赤外線センサ１２が利用者を検出しなくなったら、ＲＦＩＤタグリーダ８を停止するようにしたので、ＲＦＩＤタグリーダ８の電力消費を削減することができる。
【００７１】
検出対象の物品にそれぞれ携帯品表示灯１５を割り付けて、その携帯品表示灯１５の発光色の変化で、検出の有無（つまり、忘れ物の有無）を利用者に報知するようにしたので、忘れ物の把握が容易で、利用者に対する訴求力が大きい。
【００７２】
なお、上記の実施形態は本発明の実施態様の一例であって、本発明の技術的範囲は上記の実施形態によって限定されない。本発明は特許請求の範囲に記載された技術的思想の限りにおいて、自由に変形、応用、あるいは改良して実施することができる。
【００７３】
例えば、上記の実施形態においては、本発明をソフトウェアで実現する例を示したが、本発明の構成要素の一部又は全てを専用のハードウェアで構成することもできる。
【００７４】
また、上記の実施形態では識別情報登録手段３の記憶装置の具体例としてハードディスク装置を示したが、識別情報登録手段３の記憶装置はハードディスク装置には限定されない。識別情報を記憶できる装置であれば、構成や形体は限定されない。
【００７５】
また、上記の実施形態では識別情報登録手段３に１件の利用者識別情報と当該利用者識別情報に対応する８件の物品識別情報からなる識別情報の組を１組だけ登録する例を示したが、本発明の技術的範囲はこのような構成を有するものには限定されない。利用者識別情報とそれに対応する物品識別情報の組が複数個登録される構成を選択することもできる。
【００７６】
また、忘れ物防止装置１の操作パネルの配置例（図４）は、あくまでも例示であって、本発明の技術的範囲はこれによって限定されない。状態表示灯１４〜メモ記入欄１８等は本発明の必須の構成要素ではない。また、表示灯の表示態様（点灯、消灯、発光色の変化など）も本発明の必須の構成要素ではない。
【００７７】
また、外部記憶装置９に、４件の利用者識別情報を記憶する記憶領域を備え、利用者識別情報の記憶領域のそれぞれについて、８件の物品識別情報を記憶する記憶領域を備え、該記憶領域にそれぞれ対応する利用者表示灯１５と携帯品表示灯１６を操作パネルに配置する例を示したが、記憶領域および利用者表示灯１５、携帯品表示灯１６の数は任意である。例えば、利用者識別情報を記憶する記憶領域と利用者表示灯１５を１個だけ備えるようにしても良い。つまり、忘れ物防止装置１は、特定の１名の利用者に対応するものであっても良い。
【００７８】
また、複数の利用者が同時にＩＤタグ読み取り手段２（ＲＦＩＤタグリーダ８）の検出範囲に進入して、ＩＤタグ読み取り手段２（ＲＦＩＤタグリーダ８）が複数の利用者識別情報を読み出した場合、例えば、「青木」と「井上」の利用者識別情報を同時に読み出した場合に、一方の利用者（例えば「青木」）について登録された物品識別情報について照合を行い、その後に他の利用者（例えば「井上」）について登録された物品識別情報について照合を行うようにしてもよい。
【００７９】
また、上記の実施形態では報知手段５の表示装置として携帯品表示灯１５を例示し、表示装置の表示態様の変化の例として発光色の変化を示したが、報知手段５はかかる表示装置を備えるものには限定されない。報知手段５は利用者の五感のいずれかを通じて、利用者に忘れ物の存在を報知する機能を有していれば十分である。例えば、警告音を発生するものであっても良いし、合成音声で忘れ物の品名を読み上げるものであっても良い。あるいは文字や図形を表示するものあっても良い。
【００８０】
また、上記の実施形態では、識別情報登録手段３の入力装置としてＲＦＩＤタグリーダ８を使い、実物のＲＦＩＤタグから識別情報を読み込ませる例を示したが、識別情報登録手段３はかかるものには限定されない。識別情報を入力する入力装置と入力された識別情報を記憶する記憶装置を備えていれば十分であり、各種の構成を任意に選択することができる。例えば、磁気カードリーダやパンチカードリーダを入力装置として磁気カードやパンチカードに記録された識別情報を読み込むようにしても良い。あるいは、忘れ物防止装置１にＵＳＢ（Universal Serial Bus）を備えて、いわゆるＵＳＢメモリーに記録された識別情報を外部記憶装置９にコピーするようにしても良い。
【００８１】
また、利用者ＩＤタグは、利用者の基本的かつ固有的な携帯品、つまり、常に身に付けていて、他人と共有することがない物品、例えば、身分証、ネームプレート、あるいは携帯電話等に取り付けておくと便利である。
【００８２】
また、本発明のプログラムは様々な形態で、流通あるいは配布されることができる。例えば、本発明のプログラムは、忘れ物防止装置を構成するコンピュータにインストールされて、コンピュータ（忘れ物防止装置の部品あるいは半製品）あるいは忘れ物防止装置（完成品）と一体で流通あるいは配布される。あるいは、記録媒体に記録されて配布される。あるいは、電気通信回線を通じて配布される。
【符号の説明】
【００８３】
１  忘れ物防止装置
２  ＩＤタグ読み取り手段
３  識別情報登録手段
４  照合手段
５  報知手段
６  利用者検知手段
７  節電手段
８  ＲＦＩＤタグリーダ
９  外部記憶装置
１０  コンピュータ
１１  表示灯
１２  赤外線センサ
１３  操作入力スイッチ
１４  状態表示灯
１５  利用者表示灯
１６  携帯品表示灯
１７  登録／消去ボタン
１８  メモ記入欄
【図１】
2011197836.tif 000003
【図２】
2011197836.tif 000004
【図３】
2011197836.tif 000005
【図４】
2011197836.tif 000006
【図５】
2011197836.tif 000007
【図６】
2011197836.tif 000008